【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
被検診者にＸ線を照射するＸ線源装置と、前記被検診者を透過した前記Ｘ線の検出信号及び前記被検診者内に存在する放射性薬剤に起因して前記被検診者から放出されたγ線の検出信号の両方を出力する複数の放射線検出器とを備えたことを特徴とする放射線検査装置。
【請求項２】
前記Ｘ線検出信号に基づいて前記被検診者の第１断層像のデータを作成し、前記γ線検出信号に基づいて前記被検診者の第２断層像のデータを作成し、かつ前記第１断層像のデータと前記第２断層像のデータとを合成した合成断層像のデータを作成する断層像データ作成装置を備えた請求項１記載の放射線検査装置。
【請求項３】
被検診者にＸ線を照射するＸ線源装置と、前記被検診者を透過した前記Ｘ線の検出信号及び前記被検診者内に存在する放射性薬剤に起因して前記被検診者から放出されたγ線の検出信号を含む出力信号を出力する複数の放射線検出器とを備えたことを特徴とする放射線検査装置。
【請求項４】
入力した前記出力信号から前記Ｘ線検出信号と前記γ線検出信号とを分離し、かつ前記複数の放射線検出器の各々に接続された信号分離装置を備えた請求項３記載の放射線検査装置。
【請求項５】
前記Ｘ線検出信号に基づいて前記被検診者の第１断層像のデータを作成し、前記γ線検出信号に基づいて被検診者の第２断層像のデータを作成し、かつ前記第１断層像のデータと前記第２断層像のデータとを合成した合成断層像のデータを作成する断層像データ作成装置を備えた請求項３の放射線検査装置。
【請求項６】
被検診者にＸ線を照射するＸ線源装置と、前記被検診者を透過した前記Ｘ線及び前記被検診者内に存在する放射性薬剤に起因して前記被検診者から放出されるγ線を検出して前記Ｘ線の検出信号及び前記γ線の検出信号を含む出力信号を出力する複数の第１放射線検出器と、前記Ｘ線検出信号及び前記γ線検出信号を含む出力信号を出力する複数の第２放射線検出器と、前記第１放射線検出器の出力信号をもとに前記Ｘ線検出信号の強度を求める信号処理装置と、前記第２放射線検出器の出力信号から前記γ線検出信号を分離する信号分離装置と、前記信号分離装置で分離された前記γ線検出信号に対する計数値を求める計数装置とを備えたことを特徴とする放射線検査装置。
【請求項７】
前記Ｘ線検出信号の強度に基づいて前記被検診者の第１断層像のデータを作成し、前記γ線検出信号の計数値に基づいて被検診者の第２断層像のデータを作成し、かつ前記第１断層像のデータと前記第２断層像のデータとを合成した合成断層像のデータを作成する断層像データ作成装置を備えた請求項６の放射線検査装置。
【請求項８】
被検診者を乗せて長手方向に移動可能なベッドを有する被検診者保持装置と、撮像装置とを備え、
前記撮像装置が、前記ベッドが挿入される孔部を形成するケーシングと、前記孔部の周方向に移動し、前記被検診者にＸ線を照射するＸ線源装置と、前記孔部の周囲を取り囲んで配置され、前記被検診者を透過した前記Ｘ線及び前記被検診者内に存在する放射性薬剤に起因して前記被検診者から放出されるγ線を検出して前記Ｘ線の検出信号及び前記γ線の検出信号の両方を出力する複数の放射線検出器とを備えたことを特徴とする放射線検査装置。
【請求項９】
前記Ｘ線検出信号に基づいて前記被検診者の第１断層像のデータを作成し、前記γ線検出信号に基づいて被検診者の第２断層像のデータを作成し、かつ前記第１断層像のデータと前記第２断層像のデータとを合成した合成断層像のデータを作成する断層像データ作成装置を備えた請求項８記載の放射線検査装置。
【請求項１０】
前記Ｘ線源装置からのＸ線の放出及び停止を交互に行わせかつそのＸ線の放出を設定された時間の間に行わせるＸ線源制御装置を備え、
前記Ｘ線検出信号を処理する第１信号処理装置、前記γ線検出信号を処理する第２信号処理装置、及び前記放射線検出器からの前記Ｘ線検出信号を前記第１信号処理装置に伝え、かつ前記放射線検出器からの前記γ線検出信号を前記第２信号処理装置に伝える切替装置を有する信号処理装置を、前記放射線検出器毎に設けた請求項９記載の放射線検査装置。
【請求項１１】
前記Ｘ線源装置の位置に応じて選択された前記放射線検出器から出力された前記第１検出信号を前記第１信号処理装置に伝えるように前記切替装置を制御する切替制御装置を備えた請求項１０記載の放射線検査装置。
【請求項１２】
前記第１信号処理装置の出力に基づいて前記被検診者の第１断層像のデータを作成し、前記第２信号処理装置の出力に基づいて被検診者の第２断層像のデータを作成し、かつ前記第１断層像のデータと前記第２断層像のデータとを合成した合成断層像のデータを作成する断層像データ作成装置を備えた請求項１０記載の放射線検査装置。
【請求項１３】
被検診者を乗せて長手方向に移動可能なベッドを有する被検診者保持装置と、撮像装置と、断層像データ作成装置とを備え、
前記撮像装置が、前記ベッドが挿入される孔部を形成するケーシングと、前記孔部の周方向に移動し、前記被検診者に第１放射線を照射する放射線源装置と、前記孔部の周囲を取り囲んで配置され、前記被検診者を透過した前記第１放射線、及び前記被検診者内に存在する放射性薬剤に起因して前記被検診者から放出される第２放射線を検出して前記第１放射線の検出信号及び前記第２放射線の検出信号の両方を出力する複数の放射線検出器とを有し、
前記断層像データ作成装置は、前記第１放射線検出信号に基づいて前記被検診者の第１断層像のデータを作成し、前記第２放射線検出信号に基づいて被検診者の第２断層像のデータを作成し、かつ前記第１断層像のデータと前記第２断層像のデータとを合成した合成断層像のデータを作成することを特徴とする放射線検査装置。
【請求項１４】
被検診者を乗せて長手方向に移動可能なベッドを有する被検診者保持装置と、撮像装置とを備え、
前記撮像装置が、前記ベッドが挿入される孔部を形成するケーシングと、前記孔部の周方向に移動し、前記被検診者にＸ線を照射するＸ線源装置と、前記孔部の周囲を取り囲んで配置され、前記被検診者を透過した前記Ｘ線及び前記被検診者内に存在する放射性薬剤に起因して前記被検診者から放出されたγ線を検出して前記Ｘ線の検出信号及び前記γ線の検出信号を含む出力信号を出力する複数の放射線検出器とを備えたことを特徴とする放射線検査装置。
【請求項１５】
入力した前記出力信号から前記Ｘ線検出信号と前記γ線検出信号とを分離し、かつ前記複数の放射線検出器の各々に接続された信号分離装置を備えた請求項１４記載の放射線検査装置。
【請求項１６】
前記Ｘ線検出信号と前記γ線検出信号の分離を前記出力信号のエネルギーに基づいて行う前記信号分離装置を備えた請求項１４の放射線検査装置。
【請求項１７】
前記Ｘ線検出信号に基づいて前記被検診者の第１断層像のデータを作成し、前記γ線検出信号に基づいて前記被検診者の第２断層像のデータを作成し、かつ前記第１断層像のデータと前記第２断層像のデータとを合成した合成断層像のデータを作成する断層像データ作成装置を備えた請求項１５の放射線検査装置。
【請求項１８】
前記撮像装置は、各前記放射線検出器に対向させて配置されたコリメータを備え、前記コリメータは前記放射線検出器よりも前記孔部の中心側に位置している請求項１ないし請求項１７のいずれかに記載の放射線検査装置。
【請求項１９】
前記コリメータは前記ケーシング内に設けられた直線状のガイドに移動可能に設置され、前記コリメータを前記孔部の軸方向に移動させる駆動装置を設けた請求項１８記載の放射線検査装置。
【請求項２０】
前記放射線検出器は、半導体放射線検出器及びシンチレータのいずれかである請求項１ないし請求項１８のいずれかに記載の放射線検査装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
【課題を解決するための手段】
上記の目的を達成する本発明の特徴は、被検診者を透過した前記Ｘ線の検出信号及び前記被検診者内に存在する放射性薬剤に起因して前記被検診者から放出されたγ線の検出信号の両方を出力する複数の放射線検出器とを備えたことにある。それぞれの放射線検出器がＸ線検出信号及びγ線検出信号の両方を出力するため、その放射線検出器を備えた放射線検査装置は、被検体を透過したＸ線を検出する複数の放射線検出器を備えた撮像装置、及び被検体から放出されたγ線を検出する複数の放射線検出器を備えた他の撮像装置を備えた従来の放射線検査装置に比べて装置構成が著しく単純化される。